(57)【特許請求の範囲】
【請求項１】
スノーボードに固定可能な１つのベースプレート（１）と、当該ベースプレートの上面に載せられるブーツソールの周囲に配置された２又は３のブーツホルダーとを有し、
前記２又は３のブーツホルダーはそれぞれキャッチ（６）を有するものであり、当該キャッチ（６）が、ベースプレート（１）に載せられるブーツソールの長手側面に係合するものであって、
これら２又は３のブーツホルダーのうち、
１のブーツホルダーは、ベースプレート（１）に立設した本体側面（２）へ回転軸（３）により軸支されて上下２つの限界位置の間で角度を変えることができる可動ブーツホルダー（４）であり、
当該可動ブーツホルダー（４）を除くその他のブーツホルダーは、前記ベースプレート（１）に固定配置された固定ブーツホルダーであって、
前記可動ブーツホルダー（４）には、レバー（８）が回動可能に軸着されてなり、
当該レバー（８）は、前記可動ブーツホルダー（４）がロック位置にある状態を維持する方向へ付勢するスプリング（１１）が接続されると共に、その両端にそれぞれアームが設けられており、
これら２つのアームのうち、
一方のアームは、前記レバー（８）の一方端部に設けられた開放レバーとして前記可動ブーツホルダー（４）のロック位置から開放位置への切り替え操作に用いられるものであり、
他方のアームは、前記レバー（８）の他方端部の角部に設けられた中間ポイント（１５）を起点とする２辺の曲線部（１３，１４）が形成されてなり、
前記スプリング（１１）の付勢力により、前記レバー（８）の曲線部（１３，１４）の一方が、本体側面（２）に固定されたロックピン（９）に押しつけられて当接した状態が保持されるスノーボード用ステップイン型ビンディングであって、
前記２辺の曲線部（１３，１４）のうち、中間ポイント（１５）を基準にして、レバー（８）の回動の支点（７）から遠ざかる曲線部（１４）が、スナップ凹部（１６）を中間にはさんで中間ポイントとつながることを特徴とするスノーボード用ステップイン型ビンディング。
【発明の詳細な説明】
本発明はスノーボード用ステップイン型ビンディングに関するものであって、このビンディングは、スノーボードに固定された１つのベースプレートに配置されて、好適には３つのブーツホルダーを持ち、これらをブーツソールの長手側面と相互作用させるものである。これらブーツホルダーの１つは、ブーツソールの長手側面の１つのためのものであって、機能的には口を開いた形状
0003858117.tif 000002
であり、二つの限界ポジション(Grenzlagen)の間で角度を変える。別の一又は複数のブーツホルダーは、ブーツソールの他の長手側面のためのものであって、ベースプレートに固定配置されている。この場合、この角度を変えることができるブーツホルダーに、アーム(Arm)を２つ持つ(zweiarmiger)レバー(Hebel)が軸着(angelenkt)され、そのアームの一方は開放レバーとして、ブーツホルダーをロック位置から開放位置へと任意に切り替えるのに用いられる。他方のアームは回転ロック機構(Drehriegel)の形状を持ち、中間ポイント(Scheitelpunkt)を出発点とする２つの曲線部(Kurve)を介して、装置内のスプリングの力により、プレートに固定されたロックピンに保持されている。
このスノーボード用ステップイン型ビンディングの場合、回転ロック機構の中間ポイントによって、角度を変えることができるブーツホルダーに対して、中間ポジション(Zwischenstellung)からそれぞれの限界位置まで２つの運動段階が与えられている。この場合、スプリングの力が、これらの段階において限界位置への運動を生じるか、またはこの運動を助ける。また逆にこのスプリングの力は中間ポジションへの運動に対抗して働く。
このスノーボード用ステップイン型ビンディングの場合、一面では装着後ビンディングが意図せずして開くことがあってはならず、しかし他面ではベースプレート上にある程度雪が付着していてもブーツソールの装着を可能としたいため、１つの安全リンクを備える。この安全リンクは、角度を変えることができるブーツホルダーが中間ポジションを越えてロック位置に動いた後は、意図せずしてブーツホルダーが中間位置を越えて逆に動くのを防止するものである。
この場合の配置は、開放レバーを作動するときは安全リンク(Sicherungsglied)も作動され、これによりブーツホルダーの安全装置(entsichert)が外れてブーツが自由になるようにする。この安全リンクのためには特別な保持スプリング(Haltefeder)を備える。
本発明の課題は、スノーボード用ステップイン型ビンディングの分類に属するものであって、かつ構造上単純であるが求められる安全条件を満たすものを得ることである。
２つの曲線部の間の中間ポイントを基準として、レバーの回転中心から遠ざかる曲線(sich vom Hebeldrehpunkt entfernende Kurve)がスナップ凹部(Rastmulde)を挟んで中間ポイントにつながることによって、上記課題は達成される。
ブーツホルダーを開放する方向に力がかかり、この力によって回転ロック機構がスプリングの力と反対向きに運動するとき、スナップ凹部がロックピンに乗り上げることによって、この運動は強制的に終了する。
添付の図を用いて下記に本発明の実施形態を説明する。各図の示すものは次の通り：
図１  ビンディングにおいて角度を変えることができるブーツホルダーが開放状態にあるとき、取りつけられるべきブーツの長手を横切る方向の断面図。
図２  図１のブーツホルダーが中間ポジションにあるもの。
図３  図１のブーツホルダーが下方限界位置にあるもの。
本発明は、スノーボード装着用ビンディングの分類に属するものにおいて角度を変えることができるブーツホルダーのみに関するため、ビンディング全体の図示は省略する。ビンディングのベースプレートは図式的に概略を示し、番号１を付してある。ビンディングは側面２において、回転軸３の上にブーツホルダー４を支持している。この回転軸は取りつけられるべきブーツの縦方向と平行に伸びている。このブーツホルダーは機能面では口を開いた形状とされている結果、押さえ部(Niederhalter)５とキャッチ(Mitnehmer)６が形成されている。ブーツホルダー４には、二つのアームを持つレバー８が軸７によって軸着されている。軸７は回転軸３と平行に伸びている。
ビンディングから突き出して伸びるレバー８のアームは開放レバーとして用いられるが、もう一つのアームは回転ロック機構の形状となっている。この回転ロック機構と相互作用させるためロックピン９を用いるが、このピンも軸３および７と平行に伸び、側面(Wangen)２に軸受けされている。この側面にはピン１０も固定され、このピンには引張スプリング(Zugfeder)１１がかけられている。引張スプリングのもう一つの末端はピン１２にかけられており、このピンは開放レバーに固定されている。
レバー８の回転ロック機構の形状のアームは二つの曲線部１３、１４を持ち、それらの間に位置する中間ポイント１５を持つ。曲線部１３はこのポイントから出発してレバー８の軸７に近づくが、曲線部１４は軸７から遠ざかる。本発明によれば、曲線部１４はスナップ凹部１６を中間にはさんで中間ポイント１５とつながる。
図１は装着準備ができた状態のブーツホルダー４を示す。ブーツを挿入するとき、ソールの対応する固定部がキャッチ６と接触する。この固定部は図２および３で概略が示され、番号１７が付されている。そして下へと踏み込むと、この固定部はブーツホルダーの向きを図２に示すポジションに変える。回転ロック機構の曲線部１３は、このポジションですでに、ロックピン９に沿って移動を終わっている。このときこのロックピンには、中間ポイントの向こう側のスナップ凹部１６が密着している。これによりブーツホルダー４は開放方向に対してロックされている。ブーツのソールをさらに下へと踏み込むと図３に示すポジションがセットされ、曲線部１４の外側領域がロックピン９に密着する。スプリング１１の力で装置は確保される。
ブーツからブーツホルダー４に大きな力が伝達され、かつその力がスプリング１１の抵抗を上回る場合、ブーツホルダーが図２に示す位置まで動く可能性が十分ある。しかしこの位置に達するとともに、ブーツホルダーがさらに上方へと角度を変えることのないように構造上必然的にロックが行われる。ビンディングを任意で開放するには、開放レバーを作動することによってのみこのポイントを越えることができる。
【図１】
0003858117.tif 000003
【図２】
0003858117.tif 000004
【図３】
0003858117.tif 000005